(57)【要約】【課題】  カートリッジ本体に片持ち支持され、カートリッジ本体の一方の面に設けられた開口部を開閉するシャッタ部を備えたシャッタ部材の安定した移動を実現する。【解決手段】  上下一対のハーフ３，４を突き合わせ結合して形成されたカートリッジ本体５に光ディスク２を回転自在に収納している。カートリッジ本体５の一方の面には、光ディスク２を回転駆動するための回転駆動手段を臨ませるための駆動用開口部となる中央開口部１２と、記録及び／又は再生手段が臨む記録及び／又は再生用開口部であるヘッド部用開口部１３とが形成されている。カートリッジ本体５には、ヘッド部用開口部１３をを閉塞するシャッタ部３６を有し、基端部側をカートリッジ本体５の一方の面に直交する一側面の範囲内で支持されてヘッド部用開口部１３を開閉するように移動するシャッタ部材３５が取り付けられている。シャッタ部材３５は、中央開口部１２とヘッド部用開口部１３との間に設けられたシャッタガイド部材３８にシャッタ部３６の先端部側が支持されている。【選択図】  図２
2005222671.tif 000002
【特許請求の範囲】
【請求項１】
ディスク状記録媒体を回転自在に収容する上下一対のハーフを突き合わせ結合して形成され、一方の面にのみ、上記ディスク状記録媒体を回転駆動するための回転駆動手段を臨ませるための駆動用開口部と上記ディスク状記録媒体に情報の記録及び／又は再生を行うための記録及び／又は再生手段が臨む記録及び／又は再生用開口部とが形成されたカートリッジ本体と、
上記記録及び／又は再生用開口部を閉塞するシャッタ部を有し、基端部側を上記カートリッジ本体の一方の面に直交する一側面の範囲内で支持されて上記記録及び／又は再生用開口部を開閉するように移動可能に上記カートリッジ本体に取り付けられたシャッタ部材と、
上記駆動用開口部と上記記録及び／又は再生用開口部との間に設けられ、上記シャッタ部の先端部側を支持するシャッタガイド部材と
を備えるディスクカートリッジ。
【請求項２】
上記カートリッジ本体は、記録及び／又は再生装置への挿入端側が、上記カートリッジ本体に収納されたディスク状記録媒体の中心を中心とするほぼ半円の円弧状部とされている請求項１記載のディスクカートリッジ。
【請求項３】
上記シャッタガイド部材には、円形に形成された上記駆動用開口部の周縁に沿った円弧状の切り欠き部が形成されている請求項１記載のディスクカートリッジ。
【請求項４】
上記シャッタガイド部材は、上記カートリッジ本体の一方の面に形成された凹部に配置されるとともに、上記凹部には、上記シャッタガイド部材に形成した円弧状の切り欠き部に対応する弧状部が形成され、上記切り欠き部は、上記弧状部の半径より大きな半径の円弧状に形成されている請求項１記載のディスクカートリッジ。
【請求項５】
上記シャッタガイド部材は、上記円弧状の切り欠き部が形成されて幅狭となされた部分を除く両端側部分が超音波溶着されて上記カートリッジ本体に取り付けられている請求項３記載のディスクカートリッジ。
【請求項６】
上記シャッタ部材が移動する側面は、上記シャッタ部材の移動方向と平行な面である請
求項１記載のディスクカートリッジ。
【請求項７】
上記カートリッジ本体の他方の面を構成する上ハーフは、上記カートリッジ本体の内部
を透視可能な材料により形成されている請求項１記載のディスクカートリッジ。
【発明の詳細な説明】
【技術分野】
【０００１】
本発明は、光ディスク等のディスク状記録媒体を収納したディスクカートリッジに関す
る。
【背景技術】
【０００２】
従来、光ディスク等のディスク状記録媒体を回転可能に収納し、ディスク状記録媒体を収納したままの状態で記録及び／又は再生装置に装着されるディスクカートリッジが広く用いられている。この種のディスクカートリッジは、ディスク状記録媒体をカートリッジ本体に収納することにより、ディスク状記録媒体の保護を図り、記録及び／又は再生装置への装脱を容易に行うことを可能としている。
【０００３】
ディスクカートリッジは、ディスク状記録媒体をカートリッジ本体に収納したままの状態で記録及び／又は再生装置に装着可能とすることから、カートリッジ本体には、ディスク状記録媒体を回転操作するためのディスク回転駆動機構を構成するターンテーブルを臨ませるための駆動用開口と、ディスク状記録媒体の信号記録領域の一部を内外周に亘って外方に臨ませる記録及び／又は再生用開口部が設けられている。
【０００４】
駆動用開口部は、カートリッジ本体に収納されたディスク状記録媒体のセンター穴が形成された中央部分を外方の臨ませるように、カートリッジ本体の一方の面のほぼ中央部に位置して円形に形成されている。また、記録及び／又は再生用開口部は、カートリッジ本体の一方の面又は両面に形成されている。カートリッジ本体の一方の面に設けられる記録及び／又は再生用開口部は、駆動用開口部に近接した位置からカートリッジ本体の一側面側に亘って矩形状に形成されている。
【０００５】
ディスクカートリッジに収納されたディスク状記録媒体は、ディスクカートリッジが記録及び／又は再生装置に装着されたとき、駆動用開口部に臨むターンテーブルに装着されて回転操作され、記録及び／又は再生用開口部に臨む光ピックアップ等の記録再生用のヘッド部によって信号記録領域が走査されることにより情報の記録及び／又は再生が行われる。
【０００６】
ところで、カートリッジ本体に設けた記録及び／又は再生用開口部が開放されたままの状態にあると、記録及び／又は再生装置に装着されない保管時等の非使用時にカートリッジ本体内に塵埃等が侵入し、カートリッジ本体に収納されたディスク状記録媒体を汚損してしまうおそれがある。
【０００７】
そこで、ディスク状記録媒体を収納したディスクカートリッジには、少なくとも記録及び／又は再生用開口部を閉塞するためのシャッタ部材が設けられている。このシャッタ部材は、記録及び／又は再生用開口部を閉塞した位置と開放した位置との間に亘って移動可能にディスクカートリッジに取り付けられている。
【０００８】
また、ディスク状記録媒体を収納したディスクカートリッジにあっては、駆動用開口部を設けた一方の面側にのみ記録及び／又は再生用開口部を設けたものがある。この種のディスクカートリッジは、他方の面には開口部が設けられていないので、他方の面の全面をラベル面としたり、デザインを施した印刷面とすることができる。
【０００９】
そこで、他方の面にのみ開口部を設けたディスクカートリッジにあっては、記録及び／又は再生用開口部を開閉するシャッタ部材も、カートリッジ本体の他方の面側にのみシャッタ部が延在するように形成されたシャッタ部材が用いられている。この種のシャッタガイド部材は、記録及び／又は再生用開口部を開閉するシャッタ部をカートリッジ本体の一方の面側に延在させ、シャッタ部の基端部に設けた支持部をカートリッジ本体の一側面に支持させた片持ち支持の状態でカートリッジ本体に取り付けられている。
【００１０】
このように構成されたシャッタ部材は、シャッタ部の基端部側のみがカートリッジ本体に支持されているので、先端側がカートリッジ本体の一方の面から浮き上がってしまうおそれがある。また、シャッタ部材は、ディスクカートリッジが記録及び／又は再生装置に挿入操作される際、基端部側に記録及び／又は再生装置側に設けたシャッタ開閉操作部材の操作力が加わるので、記録及び／又は再生用開口部を開閉する方向に移動する際、基端部側を中心に揺動するように移動し、先端側が大きくカートリッジ本体の一方の面から大きく浮き上がってしまうおそれがある。
【００１１】
このようなシャッタ部材の浮き上がりは、シャッタ部の長さを短くすることにより抑制できる。しかし、シャッタ部を短くしてしまうと、記録及び／又は再生用開口部の長さも小さくなり、カートリッジ本体に収納したディスク状記録媒体の信号記録領域を内外周に亘って大きく開放することができなくなる。その結果、ディスク状記録媒体に形成される信号記録領域が小さくなり、記録容量の大容量化が困難となってしまう。
【００１２】
また、ディスク状記録媒体にあっては、高記録密度化が図られることにより、小径のものでも十分に大量の情報を記録することが可能とされている。このような小径のディスク状記録媒体を収納するディスクカートリッジも小型化が図られる。
【００１３】
収納するディスクカートリッジの小径化に伴い小型化が図られたディスクカートリッジにおいて、信号記録領域を大きくするため、ディスク状記録媒体を内外周に亘って大きく外方に臨ませるようにすると、記録及び／又は再生用開口部は、ディスク状記録媒体の内外周に亘る方向の長さが大きくなる。しかし、シャッタ部材が移動する方向の幅は、長さに比例して大きくすることができない。すなわち、シャッタ部材をカートリッジ本体の領域内で移動させて、記録及び／又は再生用開口部の確実な開放を図るためには、記録及び／又は再生用開口部の幅には制約が生じてしまう。その結果、記録及び／又は再生用開口部を閉塞するシャッタ部は、幅の狭い長尺なものとなってしまう。このような長尺なシャッタ部を備えたシャッタ部材は、シャッタ部の基端部側にのみ操作力が加えられて移動するとき、基端部側を中心に揺動し、先端側が大きくカートリッジ本体の一方の面から大きく浮き上がってしまう。
【００１４】
上記のように、シャッタ部材のカートリッジ本体からの浮上がディスク記録及び／又は再生装置への装着時に発生すると、安定したディスクカートリッジの装脱操作が行えなくなるばかりか、ディスクカートリッジ自体や記録及び／又は再生装置側の機構部を損傷してしまうおそれもある。
【００１５】
更に、小型のディスクカートリッジにおいて、ディスク状記録媒体を内外周に亘って大きく外方に臨ませるように記録及び／又は再生用開口部を形成すると、駆動用開口部を含む開口部の開口面積が大きくなり、カートリッジ本体が脆弱化するおそれもある。
【００１６】
なお、カートリッジ本体の両面に記録再生用の開口部を設け、これらを開閉するシャッタ部材を備えるディスクカートリッジにおいて、カートリッジ本体の一方の面側に設けられた記録及び／又は再生用開口部から駆動用開口部に亘る領域を開閉するシャッタ部の先端側の浮き上がりを防止することを可能とするシャッタガイド部材を設けたものが、特開２００１−３１４号（特許文献１）に記載されている。
【００１７】
【特許文献１】特開２００１−３１４号公報
【発明の開示】
【発明が解決しようとする課題】
【００１８】
本発明の目的は、カートリッジ本体に片持ち支持され、カートリッジ本体の一方の面に設けられた開口部を開閉するシャッタ部を備えたシャッタ部材の安定した移動を可能としたディスクカートリッジを提供することにある。
【００１９】
本発明の他の目的は、記録及び／又は再生用開口部を大きく開口しながら機械的強度を保証し、耐久性のあるディスクカートリッジを提供することにある。
【００２０】
本発明の更に他の目的は、記録及び／又は再生装置に確実に装脱することができるディスクカートリッジを提供することにある。
【００２１】
本発明の更に他の目的は、大きな面積のラベル貼着領域若しくは印刷領域が得られるディスクカートリッジを提供することにある。
【００２２】
本発明の更に他の目的は、シャッタ部材を備えながら、カートリッジ本体に収納したディスク状記録媒体の全面を目視可能とするディスクカートリッジを提供することにある。
【課題を解決するための手段】
【００２３】
本発明に係るディスクカートリッジは、上下一対のハーフを突き合わせ結合して形成されたカートリッジ本体を備え、このカートリッジ本体にディスク状記録媒体を回転自在に収納している。カートリッジ本体の一方の面には、ディスク状記録媒体を回転駆動するための回転駆動手段を臨ませるための駆動用開口部と、ディスク状記録媒体に情報の記録及び／又は再生を行うための記録及び／又は再生手段が臨む記録及び／又は再生用開口部とが形成されている。カートリッジ本体には、記録及び／又は再生用開口部を閉塞するシャッタ部を有し、基端部側をカートリッジ本体の一方の面に直交する一側面の範囲内で支持されて記録及び／又は再生用開口部を開閉するように移動可能にシャッタ部材が取り付けられている。シャッタ部材は、駆動用開口部と記録及び／又は再生用開口部との間に設けられたシャッタガイド部材にシャッタ部の先端部側が支持されている。
【００２４】
本発明に係るディスクカートリッジは、カートリッジ本体の記録及び／又は再生装置への挿入端側が、カートリッジ本体に収納されたディスク状記録媒体の中心を中心とするほぼ半円の円弧状部とされている。
【００２５】
シャッタガイド部材には、円形に形成された駆動用開口部の周縁に沿った円弧状の切り欠き部が形成されている。
【００２６】
また、シャッタガイド部材は、カートリッジ本体の一方の面に形成された凹部に配置されるとともに、この凹部には、シャッタガイド部材に形成した円弧状の切り欠き部に対応する弧状部が形成されている。このとき、切り欠き部は、弧状部の半径より大きな半径の円弧状に形成することが望ましい。
【００２７】
更に、シャッタガイド部材は、円弧状の切り欠き部が形成されて幅狭となされた部分を除く両端側部分が超音波溶着されてカートリッジ本体に取り付けられている。
【００２８】
シャッタ部材が移動する側面は、シャッタ部材の移動方向と平行な面である。
【００２９】
また、カートリッジ本体の他方の面を構成する上ハーフは、カートリッジ本体の内部を透視可能な材料により形成されている。
【発明の効果】
【００３０】
本発明に係るディスクカートリッジは、カートリッジ本体の一方の面に設けられた記録及び／又は再生用開口部を開閉するシャッタ部の先端部側がシャッタガイド部材により支持されているので、シャッタ部のカートリッジ本体からの浮き上がりが防止され、シャッタ部材の安定した移動が可能となる。
【００３１】
また、シャッタ部の浮き上がりが防止されるので、記録及び／又は再生装置に対する安定した装脱を実現し、ディスクカートリッジ及びこのディスクカートリッジを用いる記録及び／又は再生装置の保護を図ることができる。
【００３２】
更に、本発明は、駆動用開口部と記録及び／又は再生用開口部との間にシャッタガイド部材を配置するための連結部を有するので、カートリッジ本体の機械的強度を維持することができる。
【００３３】
更にまた、本発明は、ディスク状記録媒体を収納したカートリッジ本体の記録及び／又は再生装置への挿入端側を、カートリッジ本体に収納されたディスク状記録媒体の中心を中心とするほぼ半円の円弧状部としているので、収納するディスク状記録媒体の大きさに合わせ、小型化を図ることができる。
【００３４】
そして、シャッタガイド部材には、円形に形成された駆動用開口部の周縁に沿った円弧状の切り欠き部を設けているので、駆動用開口部と記録及び／又は再生用開口部とを互いに近接させることでき、記録及び／又は再生用開口部を大きく形成することができる。記録及び／又は再生用開口部を大きく形成することにより、ディスク状記録媒体の内外周に亘る信号記録領域を大きくでき、記録容量の増大を実現することも可能となる。
【００３５】
また、シャッタガイド部材は、カートリッジ本体に設けた凹部に配置させるので、カートリッジ本体の表面から突出させることなく取り付けることができ、カートリッジ本体のシャッタガイド部材が取り付けられた面の平坦化が実現される。そして、この凹部にシャッタガイド部材に形成した円弧状の切り欠き部に対応する弧状部を形成し、シャッタガイド部材側の切り欠き部を弧状部の半径より大きな半径の円弧状に形成することにより、駆動用開口部にシャッタガイド部材を干渉させることなく取り付けることができる。
【００３６】
更に、シャッタガイド部材は、円弧状の切り欠き部が形成されて幅狭となされた部分を除く両端側部分が超音波溶着されてカートリッジ本体に取り付けられるので、カートリッジ本体の幅狭の部分に損傷を与えることなく、強固にカートリッジ本体に取り付けることができる。
【００３７】
そして、シャッタ部材が移動する側面がシャッタ部材の移動方向と平行な面とされているので、安定した移動を保証できる。
【００３８】
更に、各開口部が設けられていないカートリッジ本体の他方の面を構成する上ハーフが透視可能な材料により形成されることにより、カートリッジ本体に収納したディスク状記録媒体を外部より目視することができる。
【発明を実施するための最良の形態】
【００３９】
以下、本発明に係るディスクカートリッジを図面を参照して具体的に説明する。
【００４０】
本発明に係るディスクカートリッジ１は、ディスク状記録媒体として、例えば、光ディスク２を回転可能に収納したものであって、図１及び図２に示すように、上下一対のハーフ３，４を突き合わせ結合したカートリッジ本体５を備え、このカートリッジ本体５内に光ディスク２を回転可能に収納している。
【００４１】
本発明に係るディスクカートリッジ１は、例えばテレビジョンゲームを実行するプログラムデータやビデオデータが記録された光ディスク２を収納したものであり、しかも、極めて小型に構成されている。このディスクカートリッジ１は、例えば、直径を６０ｍｍ程度とする小径の光ディスク２を収納したものであって、片手の掌に収納し得る程度の大きさに形成されている。
【００４２】
このディスクカートリッジ１を構成するカートリッジ本体５は、図１乃至図３に示すように、このディスクカートリッジ１が装脱されるディスク記録及び／又は再生装置への挿入端側となる一側面である前面側を円弧状部７として形成している。この円弧状部７は、図２に示すように、カートリッジ本体５のディスク収納部６に収納された光ディスク２の中心を中心Ｐ０として半径Ｒ１を一定にしたほぼ半円の円弧状に形成されている。すなわち、円弧状部７は、カートリッジ本体５に収納された光ディスク２の半円に相当する部分と対向するような半円として形成されている。
【００４３】
カートリッジ本体５の円弧状部７に連続する相対向する側面は、互いに平行な側面８，９として形成され、円弧状部７と対向する背面側は、なだらかに湾曲して連続した湾曲部１０として形成されている。すなわち、カートリッジ本体５の背面側は、カートリッジ本体５の前面側に構成された半円状の円弧状部７より大きな半径である円弧状部７より曲率が小さい湾曲部１０とされている。
【００４４】
本発明に係るディスクカートリッジ１は、挿入端側となる一の側面である前面を他の面に比し大きく湾曲したほぼ半円の円弧状部７としているので、カートリッジ挿脱口を介してスロットイン方式により装脱が行われるディスク記録及び／又は再生装置へ挿入への挿入を容易に判別できる。特に、掌内に収納できる程度に小型化したディスクカートリッジ１にあっては、手で握った感覚でも挿入方向の識別を行うことができるので、誤挿入を防止して正確にディスク記録及び／又は再生装置に装着することも可能となる。しかも、このディスクカートリッジ１は、後述するように、スロットイン方式のディスク記録及び／又は再生装置へ挿入操作が容易となるばかりか、確実な挿入操作を実現できる。
【００４５】
更に、本発明に係るディスクカートリッジ１は、挿入端側をほぼ半円の円弧状部７とし、更に加えて円弧状部７と対向する背面も湾曲部１０としているので、収納する光ディスク２に対し一層の小型化が実現されている。
【００４６】
ここで、互いに突き合わせ結合されてカートリッジ本体５を構成する上下ハーフ３，４を更に具体的に説明する。
【００４７】
ここで用いられる上下ハーフ３，４は、ポリカーボネート樹脂やＡＢＳ樹脂等の合成樹脂材料をモールド成型して形成される。
【００４８】
カートリッジ本体５の下面側を構成する下ハーフ４の中央部には、図４及び図５に示すように、カートリッジ本体５に収納した光ディスク２の中心部に形成したセンター穴１１及びその周縁を外方に臨ませる円形の中央開口部１２が形成されている。中央開口部１２は、ディスクカートリッジ１が装着されるディスク記録及び／又は再生装置側に設けられたディスク回転駆動機構の一部を構成する例えばターンテーブルが進入する。すなわち、中央開口部１２は、光ディスク２を回転駆動させるための機構の一部が進入する駆動用開口部として機能する。
【００４９】
また、下ハーフ４には、図２乃至図５に示すように、記録及び／又は再生用開口部を構成するヘッド部用開口部１３が形成されている。ヘッド部用開口部１３は、カートリッジ本体５の一方の側面８側に位置し、中央開口部１２に近接した位置から側面８に亘って矩形状に形成されている。すなわち、ヘッド部用開口部１３は、カートリッジ本体５に収納された光ディスク２の信号記録領域の一部を内外周に亘って外方に臨ませる足る大きさの矩形状に形成されている。ここで、ヘッド部用開口部１３は、図４に示すように、一方の側面８に位置する側を開放して形成されている。このように、ヘッド部用開口部１３の側面８側が開放されることにより、光ディスク２の最外周位置までヘッド部の走査領域とすることができるので、光ディスク２の信号記録領域を大きくでき、光ディスク２の記録容量を大きくすることができる。また、ヘッド部用開口部１３は、中央開口部１２に連続することなく、中央開口部１２との間に連接部を残して形成されているので、下ハーフ４の機械的強度を維持することができる。
【００５０】
下ハーフ４に突き合わせ結合されてカートリッジ本体５の上面側を構成する上ハーフ３の光ディスク２と対向する面は、図１に示すように、開口部等が設けられることなく平坦な面とされている。
【００５１】
そして、上下ハーフ３，４の突き合わせ面側には、互いに突き合わせ結合されることによってカートリッジ本体５の外周壁１５を構成する立ち上がり周壁１６，１７が形成されている。各立ち上がり周壁１６，１７は、図５及び図６に示すように、上下ハーフ３，４の外周縁に沿って形成されている。各立ち上がり周壁１６，１７のうち、上下ハーフ３，４の半円の円弧状部７を構成する領域に位置する部分の突き合わせ面側には、相対係合する複数の係合凹部１８と係合突部１９とが形成されている。これら係合凹部１８及び係合突部１９は、円弧状部７の最も突出した左右方向の中央位置に一対設け、これら係合凹部１８及び係合突部１９を中心にして左右に対称に２組ずつ設けられている。
【００５２】
ここで、係合凹部１８は、上ハーフ３側に設けられ、係合突部１９は、下ハーフ４側に設けられる。係合凹部１８は、図７に示すように、上ハーフ３側の立ち上がり周壁１６の内周面側を切り欠くことによって形成されている。また、係合突部１９は、下ハーフ４側の立ち上がり周壁１７の先端部に突設されている。そして、係合突部１９の先端部には、図７に示すように、溶着用リブ２０が突設されている。
【００５３】
なお、溶着用リブ２０は、下ハーフ４の湾曲部１０を構成する領域に位置する立ち上がり周壁１７の先端面にも設けられている。湾曲部１０側に設けられる溶着用リブ２０も、適宜間隔を空けて分散して設けられている。
【００５４】
各立ち上がり周壁１６，１７は、係合凹部１８と係合突部１９とを相対係合して突き合わせ、次いで、溶着用リブ２０を溶融することにより、この溶着用リブ２０を介して、図８に示すように、互いに溶着されてカートリッジ本体５の外周壁１５を構成する。立ち上がり周壁１６，１７の溶着は、溶着用リブ２０に超音波を印加し、この溶着用リブ２０を溶融することによって行われる。
【００５５】
また、上下ハーフ３，４の相対向する内面側には、図５及び図６に示すように、互いに突き合わされてディスク収納部６を構成する円弧状の収納部規制壁２１，２２が形成されている。これら収納部規制壁２１，２２は、カートリッジ本体５の湾曲部１０を構成する背面側に位置して形成され、カートリッジ本体５の前面側の円弧状部７を構成する立ち上がり周壁１６，１７に連続するような円弧状に形成されている。これら収納部規制壁２１，２２と立ち上がり周壁１６，１７とは、互いに突き合わせられて円形のディスク収納部６を形成する。これら収納部規制壁２１，２２と立ち上がり周壁１６，１７は、ディスク収納部６に収納された光ディスク２の外周囲を囲むように形成されているので、ディスク収納部６に収納された光ディスク２の収納位置を規制するとともに、ディスク収納部６への異物の進入を防止して光ディスク２の保護を図るディスク保護壁としても機能する。
【００５６】
更に、下ハーフ４の上ハーフ３と対向する内面側には、図５に示すように、中央開口部１２を囲むようにして、リング状のディスク支持突部２３が形成されている。また、上ハーフ３の下ハーフ４と対向する内面側にも、図６に示すように、リング状のディスク支持突部２４が形成されている。このディスク支持突部２４は、下ハーフ４側のディスク支持突部２３に対向する位置に設けられる。これらディスク支持突部２３，２４は、ディスク収納部６に収納された光ディスク２の内周側の非信号記録領域を支持し、信号記録領域が直接上下ハーフ３，４の内面に接触することを防止し、光ディスク２の保護を図るようにしている。
【００５７】
なお、上ハーフ３側に形成されるディスク支持突部２４は、後述する図１３に示すように、下ハーフ４側のディスク支持突部２３よりやや小径に形成されている。
【００５８】
更に、下ハーフ４には、このディスクカートリッジ１をディスク記録及び／又は再生装置に装着したとき、装置側に設けた位置決めピンが係合する第１及び第２の位置決め孔２５，２６が設けられている。これら位置決め孔２５，２６は、図３及び図４に示すように、湾曲部１０を構成する背面側の両側に位置して設けられる。すなわち、第１及び第２の位置決め孔２５，２６は、図５に示すように、収納部形成壁２２とカートリッジ本体５の湾曲部１０を構成する背面側の立ち上がり周壁１７により囲まれた左右の各領域にそれぞれ設けられている。なお、第２の位置決め孔２６は、位置決めピンの係合位置を調整するため、図３及び図４に示すように、カートリッジ本体５の各側面８，９に亘る幅方向を長径とする長孔として形成されている。
【００５９】
そして、下ハーフ４の内面側には、図５及び図９に示すように、第１の位置決め孔２５を囲むようにして筒状の第１の係合突部２７が突設され、第２の位置決め孔２６を囲むようにして筒状の突き当て突部２８が突設されている。更に、収納部形成壁２２と立ち上がり周壁１７とに囲まれた領域のうち第２の位置決め孔２６が設けられた領域内に位置して第２の係合突部２９が突設されている。このとき、第２の係合突部２９は、図５に示すように、第２の位置決め孔２６が設けられる位置よりカートリッジ本体５の他方の側面９を構成する立ち上がり周壁１７側に位置して形成されている。
【００６０】
ここで、第１の係合突部２７は、上下ハーフ３，４の突き合わせ位置を位置決めする第１の位置決め部を構成し、第２の係合突部２９は、第２の位置決め部を構成する。
【００６１】
一方、上ハーフ３の内面側には、下ハーフ４に設けた第１の係合突部２７と相対係合する筒状の第１の係合受け部３０が設けられるとともに、突き当て突部２８に突き当てられる筒状の支持突部３１が設けられ、更に、第２の係合突部２９と相対係合する筒状の第２の係合受け部３２とが設けられている。
【００６２】
なお、第１及び第２の係合突部２７，２９は、図９に示すように、立ち上がり周壁１７の先端より突出する高さに形成されることにより、各立ち上がり周壁１６，１７を突き合わせて上下ハーフ３，４を結合したとき、立ち上がり周壁１６と等しい高さに形成された第１及び第２の係合受け部３０，３２に係合される。
【００６３】
ところで、上ハーフ３側に設けられる第１の係合受け部３０及び支持突部３１は、図６に示すように、収納部形成壁２１とカートリッジ本体５の湾曲部１０を構成する背面側の立ち上がり周壁１６により囲まれた左右の各領域にそれぞれ設けられている。そして、第２の係合受け部３２は、支持突部３１が設けられた領域内に位置し、図６に示すように、支持突部３１が設けられる位置よりカートリッジ本体５の他方の側面９を構成する立ち上がり周壁１６側に位置して形成されている。
【００６４】
ここで、第１の係合突部２７と第１の係合受け部３０は、相対嵌合されたとき、上下ハーフ３，４の突き合わせ基準位置を構成する。すなわち、上ハーフ３は、下ハーフ４に設けた第１の係合突部２７を嵌合基準位置として下ハーフ４に結合される。したがって、第１の係合突部２７と第１の嵌合受け部３０とは、図９に示すように、互いに密嵌するような径をもって形成されている。すなわち、筒状の第１の係合突部２７の外径と、第１の係合突部２７の先端部が嵌合する第１の嵌合受け部３０の内周径とは、ほぼ等しい径とされている。
【００６５】
なお、第１の嵌合受け部３０の内部には、第１の係合突部２７の先端部が当接する当接段部３３が形成されている。第１の係合突部２７は、先端部を当接段部３３に当接させて第１の嵌合受け部３０に嵌合される。
【００６６】
また、第２の係合受け部３２は、カートリッジ本体５の各側面８，９に亘る図６中矢印Ｘ１方向の幅方向を長径とした楕円形に形成され、第１の係合突部２７と第１の係合受け部３０とを基準として上下ハーフ３，４を突き合わせたとき、第２の係合突部２９の幅方向の係合位置を調整可能としている。
【００６７】
上述のように構成された上下ハーフ３，４は、図１０に示すように、第１の係合突部２７と第１の係合受け部３０とを相対係合するとともに、第２の係合突部２９と第２の係合受け部３２とを相対係合し、更に、複数の係合凹部１８と係合突部１９をそれぞれ相対係合して互いの立ち上がり周壁１６，１７が突き合わせられる。
【００６８】
なお、相対係合される複数の係合凹部１８及び係合突部１９のうち、円弧状部７の最も突出した中央位置に設けられた一対の係合凹部１８と係合突部１９は、上下ハーフ３，４を突き合わせ結合するとき、円弧状部７の円弧に沿う図１０中矢印Ｘ２方向の位置決めを図る第３の位置決め部として機能するように形成されている。すなわち、第３の位置決め部を構成する一対の係合凹部１８と係合突部１９は、相対係合したとき、他の係合凹部１８と係合突部１９とが相対係合したときより間隙が小さくなるように形成されている。このように、相対係合したときの間隙が小さくなるように精度良く形成されることにより、一対の係合凹部１８と係合突部１９は、相対係合したとき、円弧状部７の円弧に沿う方向の位置決めが実現される。
【００６９】
上述のように、上下ハーフ３，４は、第１の係合突部２７と第１の係合受け部３０との係合位置を突き合わせ基準位置として突き合わせられる。そして、第２の係合突部２９と第２の係合受け部３２とが相対係合することにより、図１０中矢印Ｘ１方向の幅方向と直交する矢印Ｙ１方向のカートリッジ本体５の前後方向にの位置決めが図られ、更に、第３の位置決め部を構成する一対の係合凹部１８と係合突部１９が相対係合することにより、記録及び／又は再生装置への挿入端側となる円弧状部７側の突き合わせ位置の位置決めが図られる。
【００７０】
このように互いに位置決めが図られて突き合わせられた上下ハーフ３，４は、超音波溶着装置を用いて、係合突部１９及び立ち上がり周壁１７の先端部に設けられた溶着用リブ２０を溶融することにより、一体的に結合されてカートリッジ本体５を構成する。
【００７１】
ここで得られるカートリッジ本体５は、上下ハーフ３，４が互いに位置決めが図られて突き合わせ結合されてなるので、上下ハーフ３，４の位置ずれを小さくして高精度に形成できるので、このカートリッジ本体５を用いたディスクカートリッジ１は、高精度なものとなり、記録及び／又は再生装置への装脱も円滑に行うことが可能となるばかりか、外観も良好なものとなる。
【００７２】
上述のように構成されたカートリッジ本体５には、図１、図２及び図３に示すように、ヘッド部用開口部１３を開閉するシャッタ部材３５が取り付けられる。このシャッタ部材３５は、薄い金属板を打ち抜き折り曲げて形成され、若しくは合成樹脂材料を形成して形成されたものであって、図２及び図３及びに示すように、ヘッド部用開口部１３を閉塞する足るに大きさの矩形状に形成したされ平板状のシャッタ部３６と、このシャッタ部３６の基板部側に形成された断面コ字状に形成されたカートリッジ支持部３７とを備える。シャッタ部３６の先端部には、カートリッジ本体５側に取り付けられるシャッタガイド部材３８により支持されるガイド支持部３９が設けられている。ガイド支持部３９は、図１１及び図１２に示すように、シャッタ部３６の先端部をカートリッジ本体５側に向かうように折り曲げて形成されている。
【００７３】
ところで、シャッタ部材３５は、カートリッジ本体５を構成する上ハーフ３側に形成されたスライドガイド部４１をカートリッジ支持部３７により支持することによってヘッド部用開口部１３を開閉する図１及び図２中矢印Ａ方向又は矢印Ｂ方向に移動可能に支持される。スライドガイド部４１は、ヘッド部用開口部１３を開閉するシャッタ部材３５の移動範囲に亘って上ハーフ３に形成されている。このスライドガイド部４１は、上ハーフ３に形成される立ち上がり周壁１６の一部に形成されており、シャッタ部材３５をカートリッジ本体５の一方の側面８の範囲内で支持するように形成されている。
【００７４】
そして、シャッタ部材３５に設けられるカートリッジ支持部３７は、図１１及び図１２に示すように、シャッタ部３６の基端部から垂直に立ち上がり形成され連結片４２を有し、この連結片４２の先端部にシャッタ部３６側に向かって折り曲げられた第１の支持片４３が設けられている。また、連結片４２の一方の側には、第１の支持片４３が形成された位置より一段低い位置でＬ字状に折り曲げされた第２の支持片４４が設けられている。第２の支持片４４の先端部には、第１の支持片４３側に突出するように係合片４５が折り曲げ形成されている。また、連結片４２の他方の側には、第２の支持片４４と同一の高さ位置に位置されて、シャッタ部３６側に向かって突出するようにバネ係止片４６が形成されている。
【００７５】
このバネ係止片４６には、カートリッジ本体５に取り付けられたシャッタ部材３５をヘッド部用開口部１３を閉塞する方向又は開放する方向に選択的に移動付勢する二方向付勢機構を構成する捩りコイルバネ４８の一部が係止される。
【００７６】
そして、バネ係止片４６の基端部側には、第１の支持片４３側に向かって突出するように係合片４９が折り曲げ形成されている。
【００７７】
一方、シャッタ部材３５が移動可能に支持されるスライドガイド部４１は、図１１及び図１３に示すように、上ハーフ３に設けられた立ち上がり周壁１６の一部に形成されている。このスライドガイド部４１は、図１１に示すように、シャッタ部材３５の移動方向と平行に立ち上がり周壁１６の外側面に形成されたガイド溝５１と、図１３及び図１４に示すように、第１及び第２の支持片４３，４４とによって挟持されるように支持されるガイドレール部５２とから構成されている。
【００７８】
そして、ガイドレール部５２の外方側に臨む面は、図１４に示すように、上ハーフ３の平面に垂直な面とされている。この面は、スライドガイド部４１を構成する連結片４２の内側面と対向して、シャッタ部材３５の移動方向をガイドする第１のガイド壁５３を構成している。また、ガイドレール部５２の内方側に臨む面は、第１のガイド壁５３と平行な面とされている。この面は、第２の支持片４４及びバネ係止片４６と対向して、シャッタ部材３５の移動方向をガイドする第２のガイド壁５４を構成している。更に、レール部５２の先端面は、第１及び第２のガイド壁５３，５４に垂直な面とされている。この面は、第２の支持片４４及びバネ係止片４６と対向して、シャッタ部材３５の移動方向をガイドする第３のガイド壁５５を構成している。更に、レール部５２の第１のガイド壁５４から第２のガイド壁５５に亘る先端側のコーナ部は傾斜面部５６とされている。この傾斜面部５６は、シャッタ部材３５に設けた係合片４５，４９をレール部５２の第２のガイド壁５４側に係合され際の逃げ部として機能する。
【００７９】
このように構成されたスライドガイド部４１にシャッタ部材３５を支持するには、シャッタ部３６を下ハーフ４に設けたヘッド部用開口部１３上に延在するように配置し、次いで、カートリッジ支持部３７をスライドガイド部４１に係合させる。そして、カートリッジ支持部３７をスライドガイド部４１に支持させるには、まず、第１の支持片４３をガイド溝５１に係合し、次いで、係合片４５，４９を傾斜面部５６に沿わせながら、ガイドレール部５２の第２のガイド壁５４側に臨ませる。このように、第１の支持片４３をガイド溝５１に係合し、係合片４５，４９を第２のガイド壁５４側に臨ませることにより、シャッタ部材３５は、図１３及び図１４に示すように、第１の支持片４３と第２の支持片４４及びバネ係止片４６の一部によりガイドレール部５２を挟持するようにして上ハーフ３に移動可能に支持される。
【００８０】
このとき、スライドガイド部４１は、連結片４２が第１のガイド壁５３に対向し、係合片４５，４９が第２のガイド壁５４に対向し、第２の支持片４４及びバネ係止片４６が第３のガイド壁５５に対向するので、シャッタ部材３５の移動方向及びこの移動方向と直交するカートリッジ本体５の厚さ方向の移動が規制される。その結果、シャッタ部材３５は、大きなガタ付を達成させることなく、スライドガイド部４１に安定した状態でガイドされて移動可能となる。
【００８１】
また、シャッタ部材３５は、図１３及び図１４に示すように、上ハーフ３に設けられた立ち上がり周壁１６の先端部側に形成したスライドガイド部４１に支持されるので、カートリッジ本体５の上面側を構成する上ハーフ３の平面側は、図１に示すように、大きく開放された面することができる。すなわち、シャッタ部材３５は、上ハーフ３の平面側にスライドガイド部４１等の一部を臨ませることなくカートリッジ本体５に取り付けられている。
【００８２】
このような構成を備えたディスクカートリッジ１にあっては、上ハーフ３を光透過性を有する材料、例えば透明又は半透明のポリカーボネート樹脂等の合成樹脂により形成することにより、カートリッジ本体５に収納した光ディスク２を外部より透視することができる。そこで、光ディスク２の上ハーフ３と対向する面側に記録内容等を示す文字や図柄等の表示部を設けることにより、その表示部をカートリッジ本体５の外部から目視可能とできる。光ディスク２に施された表示部を目視可能とすることにより、光ディスク２が収納されていることを直ちに確認でき、光ディスク２の種別や記録内容を直接確認することができ、ディスクカートリッジ１の一層の利便性を向上できる。
【００８３】
ところで、本発明に係るディスクカートリッジ１において、シャッタ部材３５は、カートリッジ本体５の外周面から少なくとも突出しないように取り付けられる。具体的には、シャッタ部材３５は、カートリッジ本体５の外周面との面一となるように取り付けられる。そこで、下ハーフ４側のシャッタ部３６が移動する領域には、図２及び図３に示すように、凹状のシャッタスライド部５８が形成されている。シャッタスライド部５８は、シャッタ部３６をカートリッジ本体５の表面から突出させないに足る深さを有する有底の凹部として形成されている。また、スライドガイド部４１の連結片４２が移動するカートリッジ本体５の一方の側面８側にも、シャッタスライド部５８に連続するスライド部用凹部５９が形成されている。このスライド部用凹部５９も、連結片４２をカートリッジ本体５の表面から突出させないに足る深さをもって形成されている。
【００８４】
なお、本例のディスクカートリッジ１においては、ヘッド部用開口部１３を挟んでシャッタスライド部５８と対向する側には、図２及び図３に示すように、ヘッド部用開口部１３に連続してヘッド部用凹部６１が形成されている。ヘッド部用凹部６１は、本発明に係るディスクカートリッジ１が装着されるディスク記録及び／又は再生装置側のヘッド部を光ディスク２に一層近接させるためのものであって、シャッタスライド用凹部５９より深く形成されている。このようなヘッド部用凹部６１が設けられることにより、シャッタ部材３５がヘッド部用開口部１３を閉塞した位置に移動したとき、シャッタ部３６とヘッド部用凹部６１との間に隙間が発生する。そこで、シャッタ部３６の一側には、その隙間を閉塞するための閉塞片３６ａが折り曲げ形成されている。
【００８５】
そして、本発明に係るディスクカートリッジ１においては、上述したように、シャッタ部３６の先端部に形成したガイド支持部３９を支持し、シャッタ部３６のカートリッジ本体５からの浮き上がりを防止し、シャッタ部材３５の安定した移動をするシャッタガイド部材３８が設けられている。このシャッタガイド部材３８は、薄い板状部材を打ち抜いて形成されるものであって、上下ハーフ３，４を構成する材料と同種のポリカーボネート樹脂等の合成樹脂により形成されたものが用いられる。
【００８６】
なお、シャッタガイド部材３８は、薄い金属板を打ち抜いて形成したものを用いることもできる。
【００８７】
シャッタガイド部材３８は、ヘッド部用開口部１３を開閉するシャッタ部３６の先端側のスライドガイド部３９を支持するものであるので、図３及び図１３に示すように、カートリッジ本体５の一方の面を構成する下ハーフ４の外方側の平面であって、円形の中央開口部１２とヘッド部用開口部１３との間に位置し、少なくともシャッタ部材３５の移動範囲に亘ってスライドガイド部３９を支持するに足る長さに形成される。
【００８８】
そして、シャッタガイド部材３８は、少なくとも下ハーフ４の外方側の平面から突出しないようにほぼ面一となるように取り付けられる。そこで、下ハーフ４側には、図４及び図１５に示すように、ガイド部材取付用凹部６２が設けられ、シャッタガイド部材３８は、このガイド部材取付用凹部６２内に埋設するように取り付けられる。
【００８９】
また、ガイド部材取付用凹部６２内には、図１３及び図１５に示すように、少なくともシャッタ部材３５の移動範囲に亘って、ガイド部材取付用凹部６２を一段低くするようにして、支持部スライド用凹部６３が形成されている。このスライド用凹部６３は、シャッタ部３６の厚さとほぼ同一の深さに形成されている。
【００９０】
シャッタ部材３５は、支持部スライド用凹部６３内にシャッタ部３６の先端側に形成したガイド支持部３９を進入させ、このガイド支持部３９がガイド部材取付用凹部６２内に取り付けられたシャッタガイド部材３８により支持されてカートリッジ本体５に取り付けられる。
【００９１】
ところで、本発明に係るディスクカートリッジ１に収納された光ディスク２は、記録容量の増大を図るため、ディスク回転駆動機構により支持される中心部近傍から外周端側に亘る広い領域に記録領域を形成するようにしている。このような記録領域を設けた光ディスク２を収納するディスクカートリッジ１にあっては、光ディスク２の記録領域を外方に臨ませるヘッド部用開口部１３も、光ディスク２の中心部近傍から外周端側まで外方に臨ませ得る大きさに形成する必要がある。
【００９２】
そこで、ヘッド部用開口部１３は、図２及び図４に示すように、中央開口部１２に近接した位置から一方の側面８に亘る領域に形成されている。特に、本例では、ヘッド部用開口部１３は、図４に示すように、一方の側面８側は開放した矩形状に形成されている。
【００９３】
ここで、本発明に係るディスクカートリッジ１においては、ヘッド部用開口部１３と中央開口部１２とを連通させることなく、これらヘッド部用開口部１３と中央開口部１２との間を連結部６４により連結している。これは、カートリッジ本体５、特に下ハーフ４の機械的な強度を保証するためである。
【００９４】
なお、連結部６４は、中央開口部１２に対向する側を中央開口部１２に沿った円弧状とされている。
【００９５】
ところで、ヘッド部用開口部１３は、光ディスク２内周側まで確実に外方に臨ませ得るように、中央開口部１２に近接した位置にまで形成されているので、ヘッド部用開口部１３と中央開口部１２との間に構成される連結部６４の幅は狭いものになっている。その結果、ヘッド部用開口部１３と中央開口部１２との間に、シャッタガイド部材３８を溶着等の方法により確実に接合するに足る面積を確保することが困難である。
【００９６】
そこで、本発明に係るディスクカートリッジ１においては、ヘッド部用開口部１３と中央開口部１２との間の幅の狭い連結部６４の両側の大きな接合面積を確保できる領域でシャッタガイド部材３８を接合するようにしている。このシャッタガイド部材３８が取り付けられるガイド部材取付用凹部６２は、図４に示すように、シャッタ部材３５がヘッド部用開口部１３を開放するように移動したときに位置するスライド部用凹部５９に対向する領域から、シャッタ部材３５がヘッド部用開口部１３を閉塞した位置に移動したとき位置するヘッド部用開口部１３と中央開口部１２とが対向する領域に亘り、更に、ヘッド部用凹部６１が設けられた領域に亘って形成されている。すなわち、ガイド部材取付用凹部６２は、図４及び図１６に示すように、ヘッド部用開口部１３と中央開口部１２との間の幅の狭い連結部６４を挟んで、中央開口部１２の両側に延長するように形成されている。この連結部６４は、中央開口部１２と対向する側を円弧状とした幅狭部とされている。
【００９７】
そして、ガイド部材取付用凹部６２は、図１６に示すように、連結部６４に対応する幅狭部６２ａを挟んで中央開口部１２の両側に延長された部分を、幅狭部６２ａの幅Ｗ１より十分に広い幅Ｗ２を有するほぼ矩形状の接合領域部６２ｂ，６２ｃとしている。なお、各接合領域部６２ａ，６２ｂの幅狭部６２ａに連続する中央開口部１２に対向する側は、中央開口部１２の外周縁に沿う円弧状とされている。
【００９８】
さらに、ガイド部材取付用凹部６２は、図２及び図４に示すように、ヘッド部用開口部１３の両側に凹部として形成されたシャッタスライド部５８及びヘッド部用凹部６１の両端から更に両側に突出するように形成されている。すなわち、ガイド部材取付用凹部６２は、シャッタスライド部５８及びヘッド部用凹部６１の両端からディスクカートリッジ１の記録及び／又は再生装置への挿脱方向に突出する長さに形成されている。
【００９９】
幅広の接合領域部６２ｂ，６２ｃ内には、シャッタガイド部材３８を接合するための、微小突起として形成された溶着用リブ６７が形成されている。溶着用リブ６７は、図１６に示すように、マトリックス状に接合領域部６２ｂ，６２ｃ内に多数形成されている。なお、溶着用リブ６７は、中央開口部１２の周囲に突設されたリング状のディスク支持突部２３の外周側の領域に設けられている。これは、シャッタガイド部材３８が溶着される部分を溶着用治具により容易にしかも確実に支持するようにするためである。
【０１００】
なお、本例では、ディスク支持突部２３が形成された連結部６４に対応する幅狭部６２ａ内には溶着用リブ６７が設けられいないが、この部分にも溶着用リブ６７を設けるようにしてもよい。この場合、溶着用治具を円弧状に形成された連結部６４部分を支持し得る形状に形成しておく。
【０１０１】
ガイド部材取付用凹部６２内に取り付けられるシャッタガイド部材３８は、図２に示すように、ガイド部材取付用凹部６２に対応する形状に形成されている。すなわち、シャッタガイド部材３８は、幅狭部６２ａに対応する連結部３８ａの両側に接合領域部６２ｂ，６２ｃに対応する幅広な接合部３８ｂ，３８ｃを有している。そして、連結部３８ａ部分の中央開口部１２に臨む一方の側には、この中央開口部１２の外周縁に沿う円弧状の切り欠き部６５が形成されている。
【０１０２】
そして、シャッタガイド部材３８は、円弧状の切り欠き部６５を中央開口部１２の外周縁に沿うように位置決めしてガイド部材取付用凹部６２内に配置され、両側の接合部３８ｂ，３８ｃがそれぞれ接合領域部６２ｂ，６２ｃに溶着されることによってガイド部材取付用凹部６２内に取り付けられる。
【０１０３】
そして、ガイド部材取付用凹部６２は、シャッタスライド部５８及びヘッド部用凹部６１の両端からディスクカートリッジ１の記録及び／又は再生装置への挿脱方向に突出する長さに形成されているので、このガイド部材取付用凹部６２に取り付けられるシャッタガイド部材３８もシャッタスライド部５８及びヘッド部用凹部６１の両端から突出する長さに形成される。
【０１０４】
シャッタガイド部材３８は、シャッタスライド部５８からヘッド部用凹部６１に至る幅より長尺に形成されるので、両端を全幅に亘って下ハーフ４に溶着することができ確実な取り付けが実現される。
【０１０５】
シャッタガイド部材３８のガイド部材取付用凹部６２への溶着は、次のようにして行われる。まず、下ハーフ４を溶着用治具上に位置決めして配置し、ガイド部材取付用凹部６２内にシャッタガイド部材３８を配置する。このとき、シャッタガイド部材３８は、円弧状の切り欠き部６５を中央開口部１２の外周縁に沿うように位置決めしてガイド部材取付用凹部６２内に配置する。次いで、接合部３８ｂ，３８ｃが重ね合わせられた接合領域部６２ｂ，６２ｃ部分に超音波を印加し、溶着用リブ６７を溶融することによって接合部３８ｂ，３８ｃを接合領域部６２ｂ，６２ｃに溶着する。この溶着により、シャッタガイド部材３８は、ガイド部材取付用凹部６２内に取り付けられる。このとき、シャッタガイド部材３８のヘッド部用開口部１３側に臨む一側が支持部スライド用凹部６３上に位置し、支持部スライド用凹部６３との間に、図１３に示すように、シャッタ部３６の先端部に形成したガイド支持部３９が進入するに足る空間が構成される。
【０１０６】
シャッタガイド部材３８は、両側に形成した幅広の接合部３８ｂ，３８ｃを接合してカートリッジ本体５に取り付けられるので、接合部３８ｂ，３８ｃ間の幅狭の連結部３８ａを中央開口部１２とヘッド部用開口部１３との間に位置させながら、確実にカートリッジ本体５に取り付けことができる。
【０１０７】
上述のようにシャッタガイド部材３８が取り付けられたカートリッジ本体５に取り付けられたシャッタ部材３５は、シャッタ部３６の先端部側のガイド支持部３９がシャッタガイド部材３８により支持されるので、シャッタ部３６のカートリッジ本体５のからの浮き上がりが規制される。その結果、シャッタ部材３５は、シャッタ部３６をシャッタスライド部５８内から浮上させることなく、カートリッジ本体５の平面に沿って安定して移動が可能となる。また、シャッタ部３６の先端がシャッタガイド部材３８により支持されることにより、このディスクカートリッジ１を記録及び／又は再生装置に挿脱する際、シャッタ部３６を記録及び／又は再生装置内に設けた各種機構部に衝突させることも防止できるので、安定した争奪が実現でき、ディスクカートリッジ１及びこのディスクカートリッジ１が装着される記録及び／又は再生装置の保護を図ることも可能となる。
【０１０８】
ここで、カートリッジ本体５に取り付けられるシャッタガイド部材３８は、シャッタ部３６を支持する側とは反対側の中央開口部１２と対向する側には、円弧状の切り欠き部６５が形成されているので、中央開口部１２の開口量を制限することもなく、中央開口部１２にディスクテーブル等の回転駆動機構が進入することを阻害することもない。特に、円弧状の切り欠き部６５が、ガイド部材取付用凹部６２の幅狭部６２ａの一側に形成された中央開口部１２に沿う円弧状の部分の半径より大きな半径をもって形成されていることにより、シャッタガイド部材３８を確実に中央開口部１２に干渉させることなくガイド部材取付用凹部６２内に取り付けることができる。
【０１０９】
上述した例では、シャッタガイド部材３８は、溶着法を用いてカートリッジ本体５に取り付けるようにしているが、両面接着テープ等の接着剤を用いて接合して取り付けるようにしてもよい。また、カートリッジ本体５側にカシメ用のピンを設け、このピンをシャッタガイド部材３８に設けた孔に挿通し、その先端を熱変形させる熱カシメ法を用いて取り付けるようにしてもよい。
【０１１０】
このように、本発明に係るディスクカートリッジ１のシャッタ部材３５は、基端部側に形成したカートリッジ支持部３７により上ハーフ３側に設けたスライドガイド部４１を挟持するように支持し、先端部側のガイド支持部３９をガイド部材３８により支持されてなるので、シャッタ部３６を含みシャッタ部材３５の全体をカートリッジ本体５の外周面に沿わせて安定した状態で移動可能に取り付けられる。
【０１１１】
そこ結果、このディスクカートリッジ１のディスク記録及び／又は再生装置への安定した装脱ガイドを実現できるばかりか、シャッタ部材３５に不用意な力が加わり損傷を受けるようなことも確実に防止できる。
【０１１２】
ところで、本発明が適用されたディスクカートリッジ１においては、ヘッド部用開口部１３を開閉するシャッタ部材３５の確実な移動を実現し、更に、シャッタ部材３５を、ヘッド部用開口部１３を開放した位置又は閉塞した位置に確実に保持するようにする二方向付勢機構６８が設けられている。この二方向付勢機構６８は、シャッタ部材３５のカートリッジ本体５に対する移動位置に応じて、シャッタ部材３５をヘッド部用開口部１３を開放する方向又は閉塞する方向に移動付勢する機能を備え、シャッタ開閉機構を構成する。
【０１１３】
この二方向付勢機構６８は、シャッタ部材３５を、ヘッド部用開口部１３を開放する方向及び閉塞する方向の二方向に選択的に移動付勢する二方向付勢部材を用いて構成される。二方向付勢部材には、具体的には、図１１、図１２及び図１７に示すように、捩りコイルバネ４８が用いられる。捩りコイルバネ４８は、シャッタ部材３５とカートリッジ本体５との間に懸架される。この捩りコイルバネ４８は、図１７に示すように、シャッタ部材３５がヘッド部用開口部１３を開放する方向に移動する側に位置して配設されている。すなわち、捩りコイルバネ４８は、シャッタ部材３５がヘッド部用開口部１３を閉塞する位置から開放する位置に向かう上流側に位置して配設されている。
【０１１４】
二方向付勢機構６８を構成する捩りコイルバネ４８は、一方のアーム部４８ａの先端をバネ係止片４６の先端部に形成した係合部７０に係止させ、他方のアーム部４８ｂの先端に設けた環状部７１を下ハーフ４の内面に突設した支持ピン７２に係合させて取り付けられている。
【０１１５】
なお、上ハーフ３側には、下ハーフ４側の支持ピン７２に対向して、この支持ピン７２の先端が嵌合する筒状の嵌合部７８が設けられている。この嵌合部７８は、支持ピン７２が嵌合することによって、支持ピン７２に係合された捩りコイルバネ４８の環状部７１の抜け止めを図る。
【０１１６】
この捩りコイルバネ４８は、シャッタ部材３５がヘッド部用開口部１３を閉塞する位置にあるときには、ヘッド部用開口部１３を閉塞した状態を維持するように図１７中矢印Ｂ方向に付勢している。この捩りコイルバネ４８は、ディスクカートリッジ１がディスク記録及び／又は再生装置に装着され、シャッタ部材３５がカートリッジ本体に５に対しヘッド部用開口部１３を開放する方向の図１７中矢印Ａ方向に相対移動していくと、固定されていない中心部に形成したコイル部４８ｃの位置がシャッタ部材３５の移動方向の矢印Ａ方向に移動していく。捩りコイルバネ４８は、コイル部４８ｃが更に矢印Ａ方向に移動し、シャッタ部材３５の移動方向側に位置する支持ピン７２の位置を超えると付勢方向が反転される。捩りコイルバネ４８は、付勢方向が反転されると、シャッタ部材３５を図１７中矢印Ａ方向に移動するように付勢し、図１８に示すように、ヘッド部用開口部１３を開放するする方向の矢印Ａ方向に移動してヘッド部用開口部１３を開放した位置に保持する。
【０１１７】
シャッタ部材３５がヘッド部用開口部１３を開放した位置に保持されたディスクカートリッジ１をディスク記録及び／又は再生装置から取り出すイジェクト操作を行うと、シャッタ部材３５はカートリッジ本体５に対し図１８中矢印Ｂ方向に移動していき、中心のコイル部４８ｃも同方向の矢印Ｂ方向に移動していく。捩りコイルバネ４８は、シャッタ部材３５が更に矢印Ｂ方向方向に移動し、コイル部４８ｃがシャッタ部材３５の移動方向側に位置する支持ピン７２の位置を超えると付勢方向が反転される。捩りコイルバネ４８は、付勢方向が反転されると、シャッタ部材３５を図１７中矢印Ｂ方向に移動するように付勢し、ヘッド部用開口部１３を閉塞する方向に移動してヘッド部用開口部１３を閉塞した位置に保持する。
【０１１８】
このように二方向付勢機構６８を構成する捩りコイルバネ４８により付勢されたシャッタ部材３５は、ヘッド部用開口部１３を閉塞した位置及び開放した位置のそれぞれの位置に捩りコイルバネ４８の付勢力を受けて支持されるので、確実にヘッド部用開口部１３を閉塞し又は開放した状態を維持できる。
【０１１９】
上述したディスクカートリッジ１は、二方向付勢機構６８を構成する捩りコイルバネ４８により、シャッタ部材３５をヘッド部用開口部１３を閉塞した位置に保持するようにしているが、更に、シャッタ部材ロック機構を設けるようにしてもよい、このシャッタロック機構は、シャッタ部材３５のバネ係止片４６にバネにより回動付勢されたロックレバーを設け、このロックレバーをディスクカートリッジ１のディスク記録及び／又は再生装置への装脱に関連して回動操作することにより、シャッタ部材３５をロックし、又はロック解除するように構成される。
【０１２０】
また、本発明に係るディスクカートリッジ１は、シャッタ部材３５が取り付けられたカートリッジ本体５の一方の側面８には、図１及び図１１に示すように、ディスク記録及び／又は再生装置側に設けられたシャッタ部材解放操作片が進入するガイド溝７３が設けられいる。
【０１２１】
また、カートリッジ本体５の円弧状部７の相対向する側面８，９側には、図１及び図２に示すように、このディスクカートリッジ１が装着されるディスク記録及び／又は再生装置側に設けられるカートリッジローディング機構の一部が係合するローディング用の係合凹部７５，７６が設けられている。
【０１２２】
更にまた、カートリッジ本体５の円弧状部７の他方の側面９側に位置する部分には、図２に示すように、記録及び／又は再生装置側に設けられるイジェクト機構の一部が係合するイジェクト用の係合凹部７７が設けられている。
【０１２３】
更にまた、カートリッジ本体５の側面８，９、あるいは底面には、収納される光ディスク２の種類を識別するための識別孔や識別凹部が必要に応じて設けられる。
【０１２４】
上述した説明では、挿入端側を半円状に形成し、小型化を図ったディスクカートリッジに適用した例を挙げて説明したが、本発明は、上述したディスクカートリッジに限られるものではなく、カートリッジ本体を矩形状に形成されたもの、更に、カートリッジ本体の上下の両面に記録及び／又は再生用の開口部を設けたディスクカートリッジにモータそのまま適用し、上述したディスクカートリッジと同様の利点を得ることができる。
【０１２５】
すなわち、本発明は、カートリッジ本体に設けられた記録及び／又は再生用の開口部を開閉するシャッタ部材を備えたディスクカートリッジに広く適用できるものである。
【図面の簡単な説明】
【０１２６】
【図１】本発明に係るディスクカートリッジを上ハーフ側から見た斜視図である。
【図２】本発明に係るディスクカートリッジを下ハーフ側から見た斜視図である。
【図３】本発明に係るディスクカートリッジを下ハーフ側から見た平面図である。
【図４】カートリッジ本体を構成する下ハーフの外面を示す平面図である。
【図５】下ハーフの内面を示す平面図である。
【図６】上ハーフの内面を示す平面図である。
【図７】上ハーフと下ハーフを突き合わせる状態を示し、上下ハーフの立ち上がり周壁を突き合わせた状態を示す断面図である。
【図８】上下ハーフの立ち上がり周壁を突き合わせ、溶着して一体化した状態を示す断面図である。
【図９】上下ハーフを突き合わせ結合してカートリッジ本体を構成した状態を示す断面図である。
【図１０】上下ハーフが突き合わせ結合される状態を示す平面図である。
【図１１】カートリッジ本体に取り付けられるシャッタ部材をカートリッジ本体と共に示す斜視図である。
【図１２】シャッタ部材と、このシャッタ部材を付勢する捩りコイルバネとを示す斜視図である。
【図１３】シャッタ部材をカートリッジ本体に取り付けた状態を示す断面図である。
【図１４】上ハーフに設けたスライドガイド部にシャッタ部材を支持させた状態を示す断面図である。
【図１５】下ハーフに設けたガイド部材取付用凹部及び中央開口部の周辺を示す断面図である。
【図１６】ガイド部材取付用凹部が設けられた中央開口部とヘッド部用開口部との間の連結部を示す平面図である。
【図１７】二方向付勢機構により開閉方向に付勢されるシャッタ部材を示し、ヘッド部用開口部を閉塞した状態を示す平面図である。
【図１８】ヘッド部用開口部をシャッタ部材により閉塞した状態を示す平面図である。
【符号の説明】
【０１２７】
１  ディスクカートリッジ、  ２  光ディスク、  ３  上ハーフ、  ４  下ハーフ、  ５  カートリッジ本体、  ７  円弧状部、  ８  シャッタ部材が支持される側の側面、  １２  中央開口部、  １３  ヘッド部用開口部、  １５  シャッタ部材、  １６  立ち上がり周壁、  １７  立ち上がり周壁、  １８  係合凹部、  １９  係合突部、  ３５  シャッタ部材、  ３６  シャッタ部、  ３７  カートリッジ支持部、  ３８  シャッタガイド部材、  ３９  ガイド支持部、  ４１  スライドガイド部、  ４２  連結片、  ４３  第１の支持片、  ４４  第２の支持片、  ４５  係合片、  ５１  ガイド溝、  ５２  ガイドレール部、  ６２  ガイド部材取付用凹部、  ６３  支持部スライド用凹部、  ６４  連結部、  ６５  切り欠き部
【図１】
2005222671.tif 000003
【図２】
2005222671.tif 000004
【図３】
2005222671.tif 000005
【図４】
2005222671.tif 000006
【図５】
2005222671.tif 000007
【図６】
2005222671.tif 000008
【図７】
2005222671.tif 000009
【図８】
2005222671.tif 000010
【図９】
2005222671.tif 000011
【図１０】
2005222671.tif 000012
【図１１】
2005222671.tif 000013
【図１２】
2005222671.tif 000014
【図１３】
2005222671.tif 000015
【図１４】
2005222671.tif 000016
【図１５】
2005222671.tif 000017
【図１６】
2005222671.tif 000018
【図１７】
2005222671.tif 000019
【図１８】
2005222671.tif 000020